(57)【要約】【課題】スイッチング電源からのノイズによるＡＭラジオ受信妨害を容易に回避することのできるマルチチャンネル・オーディオシステムを提供する。【解決手段】ＡＭラジオ受信中に、ＡＭラジオ受信周波数とスイッチング電源１２の発振周波数およびその整数倍の周波数が接近しＡＭラジオ受信妨害が発生した時に、ＡＭラジオ受信中に使用していないチャンネルの電力増幅回路の動作／動作停止を切り換え、スイッチング電源１２の負荷電流を変化させることで発振周波数を変化させ、ＡＭラジオ受信妨害を回避する。【選択図】図１
2006101366.tif 000002
【特許請求の範囲】
【請求項１】
出力負荷の変動に応じてスイッチング周波数を変化させることにより定電圧を得るスイッチング電源部と、
ＡＭラジオ受信部と、
前記ＡＭラジオ受信部の出力、およびＤＶＤ等マルチチャンネルソースを含む複数の信号を切り換えて再生する信号処理回路と、
前記信号処理回路の出力に接続された複数の電力増幅回路と、
前記複数の電力増幅回路のそれぞれの動作と動作停止とを制御することにより前記スイッチング電源部の負荷電流を変化させることのできる制御回路と、
前記ＡＭラジオ受信部によるＡＭラジオ受信時、前記スイッチング電源部の発振周波数による受信妨害が発生した場合に信号再生を行っていないチャンネルの電力増幅回路の動作と動作停止とを制御する信号を前記制御回路に入力するための操作入力装置とを備えることを特徴とするマルチチャンネル・オーディオシステム。
【請求項２】
出力負荷の変動に応じてスイッチング周波数を変化させることにより定電圧を得るスイッチング電源部と、
ＡＭラジオ受信部と、
前記ＡＭラジオ受信部の出力、およびＤＶＤ等マルチチャンネルソースを含む複数の信号を切り換えて再生する信号処理回路と、
前記信号処理回路の出力に接続された複数の電力増幅回路と、
前記複数の電力増幅回路のそれぞれの動作と動作停止とを制御することにより前記スイッチング電源部の負荷電流を変化させることのできる制御回路と、
前記ＡＭラジオ受信部の受信周波数を検出し検出信号を前記制御回路に出力する受信周波数検出回路と、
前記スイッチング電源のスイッチング周波数を検出し検出信号を前記制御回路に出力する発振周波数検出回路とを備え、
前記制御回路は前記受信周波数検出回路と前記発振周波数検出回路の出力を比較して信号再生を行っていないチャンネルの電力増幅回路の動作と動作停止とを制御することを特徴とするマルチチャンネル・オーディオシステム。
【発明の詳細な説明】
【技術分野】
【０００１】
本発明は、ＡＭラジオ受信部および、負荷変動に応じてスイッチング周波数を変化させることにより定電圧を得るスイッチング電源を備えたマルチチャンネル・オーディオシステムのＡＭラジオ受信妨害の回避に関するものである。
【背景技術】
【０００２】
従来、ＡＭラジオ受信部および、負荷変動に応じてスイッチング周波数を変化させることにより定電圧を得るスイッチング電源を備えたマルチチャンネル・オーディオシステムは、ＡＭラジオ受信妨害を回避するための手段として、例えば、特許文献１のように、スイッチング電源の負荷電流切り換え用の負荷を設け、この負荷をスイッチング電源の出力に接続するか、切り離すかを切り換えることによりＡＭラジオ受信妨害を回避する方法が知られている。
【０００３】
図３は従来のＡＭラジオ受信部および、負荷変動に応じてスイッチング周波数を変化させることにより定電圧を得るスイッチング電源を備えたマルチチャンネル・オーディオシステムのブロック図の一例を示す。
【０００４】
図３において、ＡＭラジオ受信部１、信号処理回路２、フロントＬチャンネル電力増幅回路３、フロントＲチャンネル電力増幅回路４、センターチャンネル電力増幅回路５、サラウンドＬチャンネル電力増幅回路６、サラウンドＲチャンネル電力増幅回路７、サブウーハーチャンネル電力増幅回路８、制御回路９ｂ、ＤＶＤ再生部１０、外部入力端子１１、スイッチング電源部１２、スイッチング電源１２の出力に接続されたスイッチ２１、スイッチ２１に一端を接続し他端を接地した負荷抵抗器２２を備え、ＡＭラジオ受信部１、ＤＶＤ再生部１０、外部入力端子１１は信号処理回路２に入力され、信号処理回路２の出力は各チャンネルの電力増幅回路３〜８に入力され、制御回路９ｂは信号処理回路２とスイッチ２１の切り換えを制御する。
【０００５】
ＡＭラジオ受信妨害が発生した時にスイッチ２１を切り換え、スイッチング電源１２の出力電流の一部を負荷抵抗器２２に流し、負荷電流が変化することによりスイッチング電源１２の発振周波数が変化するように構成され、スイッチング電源１２の発振周波数の変化によりＡＭラジオ受信妨害が回避されるように作用する。
【特許文献１】特開２００１−１６８４８号公報
【発明の開示】
【発明が解決しようとする課題】
【０００６】
このような従来のマルチチャンネル・オーディオシステムにおいては、スイッチング電源のノイズによるＡＭラジオ受信妨害を回避するのに十分なスイッチング電源の発振周波数変化を得る為に、大電流を流す容量を持つ負荷が必要となっていた。
【０００７】
本発明は、スイッチング電源の負荷電流を変化させるための大電流容量負荷を専用で設けることなくＡＭラジオ受信妨害を回避することのできるマルチチャンネル・オーディオシステムを提供することを目的としてなされたものである。
【課題を解決するための手段】
【０００８】
本発明のマルチチャンネル・オーディオシステムは、ＡＭラジオ受信中には使用していないチャンネルの電力増幅回路の動作／動作停止を切り換えることにより、スイッチング電源の負荷電流を変化させ、それによりスイッチング電源の負荷電流を変化させてその発振周波数を変化させて受信妨害を回避できるよう構成したことを特徴とする。
【０００９】
本発明の請求項１に記載の発明は、出力負荷の変動に応じてスイッチング周波数を変化させることにより定電圧を得るスイッチング電源部と、ＡＭラジオ受信部と、前記ＡＭラジオ受信部の出力、およびＤＶＤ等マルチチャンネルソースを含む複数の信号を切り換えて再生する信号処理回路と、前記信号処理回路の出力に接続された複数の電力増幅回路と、
前記複数の電力増幅回路のそれぞれの動作と動作停止とを制御することにより前記スイッチング電源部の負荷電流を変化させることのできる制御回路と、前記ＡＭラジオ受信部によるＡＭラジオ受信時、前記スイッチング電源部の発振周波数による受信妨害が発生した場合に信号再生を行っていないチャンネルの電力増幅回路の動作と動作停止とを制御する信号を前記制御回路に入力するための操作入力装置とを備えることを特徴としたものであり、ＡＭラジオ受信妨害が発生した場合に操作入力装置からの操作により、ＡＭラジオの再生では動作する必要のないチャンネルの電力増幅回路の動作と動作停止とを切り換える事により、スイッチング電源の発振周波数を変化させＡＭラジオ受信妨害を回避するという作用を有する。
【００１０】
本発明の請求項２に記載の発明は、出力負荷の変動に応じてスイッチング周波数を変化させることにより定電圧を得るスイッチング電源部と、ＡＭラジオ受信部と、前記ＡＭラジオ受信部の出力、およびＤＶＤ等マルチチャンネルソースを含む複数の信号を切り換えて再生する信号処理回路と、前記信号処理回路の出力に接続された複数の電力増幅回路と、
前記複数の電力増幅回路のそれぞれの動作と動作停止とを制御することにより前記スイッチング電源部の負荷電流を変化させることのできる制御回路と、前記ＡＭラジオ受信部の受信周波数を検出し検出信号を前記制御回路に出力する受信周波数検出回路と、前記スイッチング電源のスイッチング周波数を検出し検出信号を前記制御回路に出力する発振周波数検出回路とを備え、前記制御回路は前記受信周波数検出回路と前記発振周波数検出回路の出力を比較して信号再生を行っていないチャンネルの電力増幅回路の動作と動作停止とを制御することを特徴としたものであり、ＡＭラジオ受信周波数と、スイッチング電源の発振周波数およびその高調波の周波数が一定以内の範囲に近づいた時に、ＡＭラジオの再生では動作する必要のないチャンネルの電力増幅回路の動作と動作停止とを自動的に切り換える事により、スイッチング電源の出力負荷を変動させて発振周波数を変化させＡＭラジオ受信妨害を自動的に回避するという作用を有する。
【発明の効果】
【００１１】
本発明のマルチチャンネル・オーディオシステムは、ＡＭラジオ受信中に、使用していないチャンネルの電力増幅回路の動作と動作停止とを制御することによりスイッチング電源の負荷電流を変化させる構成としたため、専用負荷等を付加することなくスイッチング電源の出力負荷を変動させて発振周波数を変化させることができるので、ローコストかつ容易にＡＭラジオ受信妨害を回避できるという利点がある。
【発明を実施するための最良の形態】
【００１２】
以下、本発明のマルチチャンネル・オーディオシステムを実施すための最良の形態について、図面を用いて詳細に説明する。
【００１３】
（実施の形態１）
図１は本発明の実施の形態１におけるマルチチャンネル・オーディオシステムのブロック図を示し、図１において、ＡＭラジオ受信部１、信号処理回路２、フロントＬチャンネル電力増幅回路３、フロントＲチャンネル電力増幅回路４、センターチャンネル電力増幅回路５、サラウンドＬチャンネル電力増幅回路６、サラウンドＲチャンネル電力増幅回路７、サブウーハーチャンネル電力増幅回路８、制御回路９、ＤＶＤ再生部１０、外部入力端子１１、スイッチング電源部１２、操作入力装置１３を備え、ＡＭラジオ受信部１、ＤＶＤ再生部１０、外部入力端子１１からの信号は信号処理回路２に入力され、信号処理回路２の出力は各チャンネルの電力増幅回路３〜８に入力され、制御回路９は信号処理回路２を制御するとともに、信号処理回路２と操作入力装置１３から入力された結果に基づき各チャンネルの電力増幅回路３〜８の動作を制御している。
【００１４】
以上のように構成されたマルチチャンネル・オーディオシステムについて、以下その動作を説明する。
【００１５】
まずＡＭラジオ受信部１、ＤＶＤ再生部１０、または外部入力端子１１からの再生信号は信号信号処理回路２に入力される。この装置の操作者が操作入力装置１３を操作することにより、操作入力装置１３より入力選択制御信号が出力され制御回路９を介して信号処理回路２に入力されることにより、信号処理回路２に入力されている再生信号の内の一つが選択され、所要の電力増幅回路に出力される。
【００１６】
またこのとき信号処理回路２から出力さている信号の形態がモノラル信号か、ステレオ信号か、またはマルチチャンネル信号かによって、信号処理回路２は不要なチャンネルの信号出力を無音状態とし、また、制御回路９は不要なチャンネルの電力増幅回路に動作を動作停止状態となるよう制御する。
【００１７】
例えば、ＡＭラジオ再生が選択されている時には、ＡＭラジオの再生信号は、一般的にはモノラル信号である為、信号処理回路２からの再生信号はフロントＬチャンネル電力増幅回路３およびフロントＲチャンネル電力増幅回路４に出力され、その他のチャンネルの電力増幅回路５〜８には無音の再生信号が出力され、かつ、制御回路９によりフロントＬチャンネル電力増幅回路３およびフロントＲチャンネル電力増幅回路４は動作状態となり、その他のチャンネルの電力増幅回路５〜８は動作停止状態となるよう制御される。
【００１８】
また、ＤＶＤ再生、または、外部信号再生が選択されている時には、信号処理回路２が入力されている再生信号の形態を検出し、例えばモノラルまたはステレオ信号の場合には、ＡＭラジオ再生時と同様に、信号処理回路２からの再生信号はフロントＬチャンネル電力増幅回路３およびフロントＲチャンネル電力増幅回路４に出力され、その他のチャンネルの電力増幅回路５〜８には無音の再生信号が出力され、かつ、制御回路９によりフロントＬチャンネル電力増幅回路３およびフロントＲチャンネル電力増幅回路４は動作状態となり、その他のチャンネルの電力増幅回路５〜８は動作停止状態となるよう制御される。
【００１９】
またマルチチャンネル信号入力の場合には、信号処理回路２からの再生信号はフロントＬチャンネル電力増幅回路３およびフロントＲチャンネル電力増幅回路４、センターチャンネル電力増幅回路５、サラウンドＬチャンネル電力増幅回路６、サラウンドＬチャンネル電力増幅回路７、サブウーハーチャンネル電力増幅回路８のそれぞれに出力され、かつ、制御回路９により全チャンネルの電力増幅回路３〜８は動作状態となるよう制御される。
【００２０】
ＡＭラジオ再生が選択され、また選択された受信周波数が、スイッチング電源部１２の発振周波数、またはその整数倍付近であった場合に、スイッチング電源部１２の発振出力により、ＡＭラジオ受信部１が妨害を受ける。このとき上記の例のように電力増幅部５〜８は動作停止状態である。操作者が操作入力装置１３を操作することにより、電力増幅回路３〜８の動作／動作停止を切り換えて、休止している電力増幅部の一部または全てを動作状態に切り換える事により、スイッチング電源部１２の負荷電流を変化させてスイッチング電源部１２の発振周波数を変化させる。これによりＡＭラジオ受信部１のＡＭラジオ受信周波数がスイッチング電源部１２の発振周波数、およびその整数倍付近であって、妨害を受ける条件となっている、という状態から抜け出すことが出来、ＡＭラジオ受信妨害を回避することができる。
【００２１】
またこのとき電力増幅回路３〜８のうち、不要なチャンネルの電力増幅回路が動作状態になっていても、信号処理回路２からは、不要なチャンネルの電力増幅回路には無音信号が出力されているので、再生出力には影響を与えない。
【００２２】
以上のように本実施形態によれば、ＡＭラジオ受信妨害が発生した時に、操作者が操作入力装置１３を操作することにより、再生に使用していない電力増幅回路の動作／動作停止を切り換える機能を設けることで、ＡＭラジオ受信妨害を回避することができ、特別な回路を付加することなくスイッチング電源を用いたマルチチャンネル・オーディオシステムでＡＭラジオ受信妨害を回避することができることとなる。
【００２３】
（実施の形態２）
次に、図２は本発明の実施の形態２におけるマルチチャンネル・オーディオシステムのブロック図を示し、図２において、ＡＭラジオ受信部１、信号処理回路２、電力増幅回路３〜８、ＤＶＤ再生部１０、外部入力端子１１、スイッチング電源部１２、操作入力装置１３は、実施の形態１の図１のものと同様であり、同じ符号を付けて説明を省略する。図１と異なる点は、ＡＭラジオ受信部１の受信周波数を検出する受信周波数検出回路１４、スイッチング電源部１２の発振周波数を検出するスイッチング電源発振周波数検出回路１５、および操作入力装置１３、受信周波数検出回路１４、スイッチング電源発振周波数検出回路１５の入力を受け、信号処理回路２および各チャンネル電力増幅回路３〜８を制御する制御回路９ａである。
【００２４】
実施の形態２においても、実施の形態１と同様に選択された再生信号に応じて信号処理回路２の出力信号および、電力増幅回路の動作状態、動作停止状態の制御が行われる。
【００２５】
ＡＭラジオ再生状態の時、受信周波数検出回路１４およびスイッチング電源発振周波数検出回路１５からの検出信号を制御回路９ａで比較し、スイッチング電源部１２の発振周波数および、その整数倍の周波数がＡＭラジオ受信周波数に対して一定範囲以内の近い周波数となった時に制御回路９ａは電力増幅回路３〜８のうち、再生に使用していないチャンネルの動作／動作停止を切り換える。するとスイッチング電源部１２の負荷電流が変化しスイッチング電源部１２の発振周波数が変化する。これによりＡＭラジオ受信部１２のＡＭラジオ受信周波数がスイッチング電源部１２の発振周波数、およびその整数倍付近であって、妨害を受ける条件となっている、という状態から抜け出すことが出来、ＡＭラジオ受信妨害を回避することができる。
【００２６】
またこのとき実施の形態１と同様に電力増幅回路３〜８のうち、不要なチャンネルの電力増幅回路が動作状態になっていても、信号処理回路２からは、不要なチャンネルの電力増幅回路には無音信号が出力されているので、再生出力には影響を与えない。
【００２７】
以上のように本実施形態によれば、受信周波数検出回路およびスイッチング電源発振周波数検出回路からの検出信号を制御回路で比較し、スイッチング電源部の発振周波数および、その整数倍の周波数がＡＭラジオ受信周波数に対して一定範囲以内の近い周波数となった時に制御回路は再生に使用していない電力増幅回路の動作／動作停止を切り換えることにより、簡単な構成によりスイッチング電源を用いたマルチチャンネル・オーディオシステムで操作者は特別な操作を行うことなく自動的にＡＭラジオ受信妨害を回避することができることとなる。
【００２８】
なお、本実施形態においては、ＡＭラジオ受信妨害の回避は自動的になされるので、操作入力装置１３はなくてもよい。
【産業上の利用可能性】
【００２９】
本発明のマルチチャンネル・オーディオシステムは、ＡＭラジオ受信中に、手動、または自動で、使用していないチャンネルの電力増幅回路の動作と動作停止とを制御してスイッチング電源の負荷電流を変化させることにより、専用負荷等を付加することなくスイッチング電源の出力負荷を変動させて発振周波数を変化させることができるので、ローコストかつ容易にＡＭラジオ受信妨害を回避できるという産業上の利用可能性の高いものである。
【図面の簡単な説明】
【００３０】
【図１】本発明の実施の形態１におけるマルチチャンネル・オーディオシステムのブロック図
【図２】同じく実施の形態２におけるマルチチャンネル・オーディオシステムのブロック図
【図３】従来のマルチチャンネル・オーディオシステムのブロック図
【符号の説明】
【００３１】
１    ＡＭラジオ受信部
２    信号処理回路
３    フロントＬチャンネル電力増幅回路
４    フロントＲチャンネル電力増幅回路
５    センターチャンネル電力増幅回路
６    サラウンドＬチャンネル電力増幅回路
７    サラウンドＲチャンネル電力増幅回路
８    サブウーハチャンネル電力増幅回路
９，９ａ    制御回路
１０    ＤＶＤ再生部
１１    外部入力端子
１２    スイッチング電源
１３    操作入力装置
１４    受信周波数検出回路
１５    発振周波数検出回路
【図１】
2006101366.tif 000003
【図２】
2006101366.tif 000004
【図３】
2006101366.tif 000005